【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
ａ）成分Ａとして、ヒドロシリル化反応において反応性である少なくとも２つの≡Ｓｉ−Ｈ基を含有する、少なくとも１つの有機ケイ素化合物、および
ｂ）成分Ｂとして、成分Ａとのヒドロシリル化反応において反応性である少なくとも２つの不飽和炭素−炭素結合を含有する、少なくとも１つのベンゾオキサジン化合物
を含んでなる重合性組成物。
【請求項２】
少なくとも１つのヒドロシリル化触媒を含有する、請求項１に記載の重合性組成物。
【請求項３】
有機ケイ素化合物が、環状ポリシロキサン、直鎖状ポリシロキサン、トリシロキシシランおよびテトラシロキシシランからなる群から選択される、請求項１または２に記載の重合性組成物。
【請求項４】
有機ケイ素化合物が、一般式（Ｉ）：
【化１】
2011527356.tif 000001
〔式中、Ｒ基は、それぞれ同一であっても異なっていてもよく、水素、１〜８個の炭素原子を有するアルキル基、１〜８個の炭素原子を有する脂環式基、６〜１２個の炭素原子を有するアリール基、１〜８個の炭素原子を有するアルコキシ基および６〜１２個の炭素原子を有するアリールオキシ基から選択され（ただし、少なくとも２つのケイ素原子上のＲ基は水素である）、ｎは２〜３０の整数である〕
の環状ポリシロキサンを含有する、請求項３に記載の重合性組成物。
【請求項５】
有機ケイ素化合物が、一般式（ＩＩ）：
【化２】
2011527356.tif 000002
〔式中、Ｒ基は、それぞれ同一であっても異なっていてもよく、水素、１〜８個の炭素原子を有するアルキル基、１〜８個の炭素原子を有する脂環式基、６〜１２個の炭素原子を有するアリール基、１〜８個の炭素原子を有するアルコキシ基および６〜１２個の炭素原子を有するアリールオキシ基から選択され（ただし、少なくとも２つのケイ素原子上のＲ基は水素である）、ｍは０〜１０００の整数である〕
の直鎖状ポリシロキサンを含有する、請求項３に記載の重合性組成物。
【請求項６】
有機ケイ素化合物が、一般式（ＩＩＩ）：
【化３】
2011527356.tif 000003
〔式中、Ｒ基は、それぞれ同一であっても異なっていてもよく、水素、１〜８個の炭素原子を有するアルキル基、１〜８個の炭素原子を有する脂環式基、６〜１２個の炭素原子を有するアリール基、１〜８個の炭素原子を有するアルコキシ基および６〜１２個の炭素原子を有するアリールオキシ基から選択され（ただし、少なくとも２つのケイ素原子上のＲ基は水素である）、ｏおよびｑは、それぞれ０〜１０００の整数であり、ｐは１〜１０００の整数である〕
のトリシロキシシランを含有する、請求項３に記載の重合性組成物。
【請求項７】
有機ケイ素化合物が、一般式（ＩＶ）：
【化４】
2011527356.tif 000004
〔式中、Ｒ基は、それぞれ同一であっても異なっていてもよく、水素、１〜８個の炭素原子を有するアルキル基、１〜８個の炭素原子を有する脂環式基、６〜１２個の炭素原子を有するアリール基、１〜８個の炭素原子を有するアルコキシ基および６〜１２個の炭素原子を有するアリールオキシ基から選択され（ただし、少なくとも２つのケイ素原子上のＲ基は水素である）、ｒおよびｔは、それぞれ０〜１０００の整数であり、ｓは１〜１０００の整数である〕
のテトラシロキシシランを含有する、請求項３に記載の重合性組成物。
【請求項８】
ベンゾオキサジン化合物が、一般式（Ｖ）：
【化５】
2011527356.tif 000005
〔式中、ｖは２〜４の整数であり、ｕは１〜１０の整数であり、Ｘは、アルキレン（ｖ＝２〜４に対して）、カルボニル（ｖ＝２に対して）、酸素（ｖ＝２に対して）、硫黄（ｖ＝２に対して）、スルホキシド（ｖ＝２に対して）、スルホン（ｖ＝２に対して）および直接結合、共有結合（ｖ＝２に対して）からなる群から選択され、Ｒ２は、水素および１〜８個の炭素原子を有するアルキル基からなる群から選択され、Ｒ４は、水素、ハロゲン、アルキルおよびアルケニルからなる群から選択され、またはＲ４は、ベンゾオキサジン構造に対応するナフトオキサジン構造を構成する二価の基である〕
の化合物である、請求項１〜７のいずれかに記載の重合性組成物。
【請求項９】
請求項１〜８のいずれかに記載の重合性組成物の重合生成物。
【請求項１０】
一般式（ＶＩ）：
【化６】
2011527356.tif 000006
〔式中、末端位のＣ１−Ｃ２結合は二重結合であり、非末端位のＣ１−Ｃ２結合は単結合であり、ｕは１〜１０の整数であり、ｗは１〜１０００の整数であり、
Ｘは、アルキレン、カルボニル、酸素、硫黄、スルホキシド、スルホンおよび直接結合、共有結合からなる群から選択され、
基Ｒ’は、それぞれ同一であっても異なっていてもよく、水素、１〜８個の炭素原子を有するアルキル基、１〜８個の炭素原子を有する脂環式基、６〜１２個の炭素原子を有するアリール基、１〜８個の炭素原子を有するアルコキシ基および６〜１２個の炭素原子を有するアリールオキシ基から選択され、
Ｒ２は、水素および１〜８個の炭素原子を有するアルキル基からなる群から選択され、
Ｒ４は、水素、ハロゲン、アルキルおよびアルケニルからなる群から選択され、またはＲ４は、ベンゾオキサジン構造に対応するナフトオキサジン構造を構成する二価の基であり、
Ｙは、直接結合、共有結合または、
式（ＶＩ．１）：
【化７】
2011527356.tif 000007
または、式（ＶＩ．２）：
【化８】
2011527356.tif 000008
または、式（ＶＩ．３）：
【化９】
2011527356.tif 000009
［式中、ｍ’、ｐ’およびｓ’は、それぞれ１〜１０００の整数であり、ｏ’、ｑ’、ｒ’およびｔ’はそれぞれ０〜１０００の整数であり、Ｒ’は上記と同じ意味を有する］
の、少なくとも１つのシロキサン構造要素を含んでなる二価の基であり、
Ｒ３およびＲ５は、互いに独立して、Ｒ’または一般式（ＶＩ．４）：
【化１０】
2011527356.tif 000010
［式中、ＹおよびＲ’は上記と同じ意味を有する］〕
のポリマーを含んでなる、請求項９に記載の重合生成物。
【請求項１１】
請求項９または１０に記載の重合生成物の製造方法であって、
ａ）成分Ａが、ヒドロシリル化反応において反応性である少なくとも２つの≡Ｓｉ−Ｈ基を含有する少なくとも１つの有機ケイ素化合物であり、成分Ｂが、成分Ａとのヒドロシリル化反応において反応性である少なくとも２つの不飽和炭素−炭素結合を含有する少なくとも１つのベンゾオキサジン化合物である、成分Ａおよび成分Ｂならびに必要に応じて少なくとも１つのヒドロシリル化触媒を含んでなる重合性組成物を製造する工程；
ｂ）上記重合生成物を製造するために、重合性組成物を重合する工程
を含んでなる方法。
【請求項１２】
ａ）少なくとも１つの硬化性樹脂成分、および
ｂ）請求項９または１０に記載の少なくとも１つの重合生成物
を含んでなる硬化性組成物。
【請求項１３】
請求項１２に記載の硬化性組成物の硬化生成物。
【請求項１４】
硬化前に、繊維が請求項１２に記載の硬化性組成物により処理された、少なくとも１つの繊維層または少なくとも１つの繊維束が埋め込まれている、請求項１３に記載の硬化生成物。
【請求項１５】
ａ）少なくとも１つの繊維層または少なくとも１つの繊維束を製造する工程；
ｂ）請求項１２に記載の硬化性組成物を製造する工程；
ｃ）少なくとも１つの繊維層または少なくとも１つの繊維束を硬化性組成物により処理することにより複合系を製造する工程；
ｄ）場合により、複合系から過剰量の硬化性組成物を除去する工程
を含んでなる請求項１４に記載の硬化生成物の製造方法であって、該硬化生成物が温度上昇および圧力上昇にさらされて得られる、請求項１４に記載の硬化生成物の製造方法。
【請求項１６】
請求項１〜８のいずれかに記載の重合性組成物を含有する接着剤、封止剤またはコーティング。